【事件の表示】
　平成　７年特許願第１３６５６０号「パチンコ玉揚送装置」拒絶査定不服審判事件〔平成　８年１２月１０日出願公開、特開平　８−３２３０３３〕について、次のとおり審決する。
【結　論】
　本件審判の請求は、成り立たない。
【理　由】
１．手続の経緯　
　本願は、平成７年６月２日の出願であって、平成１５年１１月１０日付の拒絶理由通知に対して平成１６年１月１６日付で手続補正がなされ、同年３月２２日付で拒絶査定され、これに対し、同年４月２８日に拒絶査定不服の審判が請求されるとともに同年５月２８日付で手続補正がなされたものである。　
　
２．平成１６年５月２８日付の手続補正についての補正却下の決定　
〔補正却下の決定の結論〕　
　平成１６年５月２８日付の手続補正を却下する。　
　
〔理由１〕目的外補正について　
　平成１６年５月２８日付の手続補正（以下「本件補正」という。）により、特許請求の範囲の請求項１は、平成１６年１月１６日付手続補正書により補正された特許請求の範囲の請求項１乃至２に記載された　
「【請求項１】　上に配置された上ローラと、下に配置された下ローラと、前記上ローラ及び前記下ローラに巻掛けられた無端ベルトと、前記上ローラを軸支し収納する収納体と、前記収納体の上部に取付けられ前記無端ベルトの外周面の前記上ローラに巻掛けられた部分との間で遊技球を挟持して排出する排出通路を形成する排出シュートと、前記収納体に着脱可能に支持され、前記無端ベルトに対向して前記無端ベルトとの間で遊技球を前記排出通路へ挟持揚送する通路を形成する扉と、前記排出シュートを前記収納体に取り外し可能に複数箇所で係止する係止手段とを有することを特徴とする遊技球揚送装置。
　【請求項２】　前記係止手段は、前記排出シュートに設けられる係止部材と、前記収納体に設けられ前記係止部材を係止して前記排出シュートの取付状態を保持する保持手段と、を有することを特徴とする請求項１に記載の遊技球揚送装置。」　
から、　
「【請求項１】　基柱の上端に軸支された上ローラと、当該基柱の下端に配置された下ローラと、前記上ローラ及び前記下ローラに巻掛けられた無端ベルトと、前記無端ベルトとの間でパチンコ玉を挟持揚送する揚送路形成のために前記無端ベルトと対向するように前記基柱によって着脱可能に支持される扉と、前記無端ベルトが巻掛けられた前記上ローラの上部を覆う排出シュートと、前記排出シュートを載置可能な両脚部を幅方向両端に備える排出シュートブラケットと、前記上ローラを上下動させるためのアジャスターと、を設けてあり、前記排出シュート及び前記両脚部の反排出方向前方が、前記無端ベルトの折り返し形状に略対応するように下方に向って曲面状に形成されることによって、前記揚送路内を挟持揚送されたパチンコ玉を前記排出シュートと前記無端ベルトとの間に挟持して排出する排出通路を形成可能に構成してあり、前記排出シュートを前記排出シュートブラケットに取り外し可能に複数箇所で係止する係止手段を設けてあり、前記係止手段が、前記排出シュートに設けられる係止部材と、前記排出シュートブラケットに設けられ前記係止部材を係止して前記排出シュートの取付状態を保持する保持手段と、を有することを特徴とする請求項１に記載のパチンコ玉揚送装置。」　
へと補正された。　
　　
　パチンコ玉揚送装置に設けるものとして、本件補正によって特許請求の範囲の請求項１に付加された「上ローラを上下動させるためのアジャスター」は、本件補正前の特許請求の範囲の請求項１乃至２に記載した発明を特定するための事項（「上ローラ」、「下ローラ」、「無端ベルト」、「収納体」、「排出シュート」、「扉」、「係止手段」を含む）の何れをも概念的に下位にしたものではなく、発明特定事項の限定とはいえない。　
　したがって、本件補正により特許請求の範囲についてした補正は、平成１８年改正前特許法第１７条の２第４項第２号に規定する、「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」を目的とするものに該当しない。　
　また、本件補正により特許請求の範囲についてした補正は、同項第１、第３、第４号の、請求項の削除、誤記の訂正、及び明りようでない記載の釈明のいずれを目的とするものでもないことは明らかである。　
　したがって本件補正は、平成１８年改正前特許法第１７条の２第４項に規定する要件を満たしておらず、特許法第１５９条第１項において読み替えて準用する同法第５３条第１項の規定により却下すべきものである。　
　
　
〔理由２〕独立特許要件違反について　
　本件補正により特許請求の範囲についてした補正が、平成１８年改正前特許法第１７条の２第４項第２号の、特許請求の範囲の減縮を目的とするものであるとした場合に、本件補正後の特許請求の範囲の請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）否かについて検討する。　
　
［１］引用刊行物とそれに記載の発明　
［１−１］引用刊行物一覧　
（１）特開昭５６−５７４６６号公報　
（２）実公昭４３−２２１１５号公報　
（３）特開平４−９１７２号公報　
（４）特開平４−９１７１号公報　
（５）特開昭５６−６６２８１号公報　
（６）実願昭５１−５０２７１号（実開昭５２−１４１８７３号）のマイクロフィルム　
（７）特開昭５９−６２０７１号公報　
（８）特開昭５４−２９２３２号公報　
　
［１−２］刊行物１記載の発明について　
　原査定の拒絶の理由に引用された、本願出願前に頒布された刊行物である特開昭５６−５７４６６号公報（以下、「刊行物１」という。）には、以下の事項が記載されている。　
（ア）「第１図に示す玉磨揚送機１は、所定高さを有する起立フレーム２の上下両端に一対として回転自在に装架され、該電動機で駆動される動輪と従輪間に無端のベルト３を張架し、下端に球の入口４に連なる誘導曲路５を設け、該ベルト３上限部に誘出曲路６及び出口７を設けてなる本体Ａと、該誘導・誘出曲路５〜６間の上昇側ベルト３面に、布ベルト８を着脱自在に装設し、該布ベルト裏面に入口４から誘出曲路６間に予め玉が縦列する凹状の案内溝９を並設した案内壁１０を共に装設したガイドレールＢを対向させ、該球径より小さな間隔（以下単に玉磨路Ｆという）が形成される玉磨揚送装置において、まず本体Ａに装架するガイドレールＢの支持装置は、第５図に示す蝶番型Ｃと第６図に示す係止型Ｄの二種に別れ、Ｃ型支持装置を詳述すれば１１は梃杆で略中央部を本体フレーム２（以下単に本体Ａという）の一側面に樹設した基軸１２を支点に自由に傾動するよう軸承し、該垂直上端に連結腕１３を軸１４で回動自在に軸止し、同連結腕１３は蝶番部１５を併設し、又蝶番部は心棒から離脱出来るようになし、更に連結腕１３は誘導溝１６を設け本体Ａに突出させた案内突起１７に遊嵌し、梃杆１１の傾動運動を水平作用に転換するようになし、該連結腕の他方腕１３´をガイドレールＢ側に固定手段を設けて装着する。又梃杆１１の垂下端に止部１８を設け、調整バネ１９の一端を係止し該他端を本体Ａに係止棒２０を設けて張架し、そして調整バネ１９の牽引力で梃杆１１を介して連結腕１３が水平状に自在に伸縮する略コ字の梃機構を形成する。尚調整バネ１９牽引力を自在調整が出来るようになしてもよい。次にＤ型支持装置を詳述すれば、Ｃ型の連結腕１３部が相違し他においては同一構成のため省略し、連結腕２１は先端に係止溝２２を設け他端を梃杆１１の上部に軸１４で回転自在に軸承し、該ガイドレール側の関連する位置に掛止棒２２´を樹設して形成する。そしてＣ型支持装置でガイドレールＢを本体Ａに螺着装架し、該他側でＤ型支持装置により係止することで本体ＡにガイドレールＢ上下部において予め装架する。」（第１頁右下欄１６行〜第２頁右上欄１５行）　
（イ）「玉磨揚送機１の球入口４から上昇方向に駆動されるベルト３で、誘導曲路５から第３図に示す定位状態のガイドレールＢ間に形成される球径より狭い玉磨路Ｆに至り、第４図のごとく球が進行した時、まずガイドレールＢ側において布ベルト８及び案内壁１０を押圧し、更に係止装置Ｅにより常時適宜圧力で定位を保つガイドレールＢを略内部から押圧して玉磨路Ｆを押開けながら進行上昇し、ベルト上限に達する間に球表面の汚れを布ベルト８に摺磨されて玉磨をされる。この場合玉磨効果を左右するコイルバネ２８の弾発力を主軸螺部２９の調整ナット３０の螺移動により適宜に調整し、玉磨路Ｆを通過する球の挟持力の加減をする。又この係止装置Ｅの弾性力は錠片２４でガイドレールＢ表面を略全体的に係止することで、左右の力を平均化し玉磨の安定をはかり、そしてガイドレールＢの上下部Ｃ・Ｄ型支持装置の作用は、第５・６図点線で示す定位状態から球が玉磨路Ｆに進入すると、実線で示すごとくＣ・Ｄ型支持装置の各連結腕１３・２１を介して略コ字状の梃機構の作用により、概述係止装置Ｅと同じように自在伸縮するガイドレールＢで玉磨助勢をはかるものである。」（第２頁左下欄１５行〜同頁右下欄１７行）　
（ウ）第１図には、誘出曲路６の幅方向両側に２つの側壁が備えられていることが示されている。　
　これら（ア）〜（ウ）の記載及び図面によれば、刊行物１には以下の発明が記載されているものと認められる。　
「本体Ａに設けられた起立フレーム２の上下両端に回転自在に装架された一対の従輪及び動輪と、前記従輪と前記動輪間に張架された無端のベルト３と、前記ベルト３との間で球を挟持しつつ進行上昇させる玉磨路Ｆ形成のために前記ベルト３と対向するように本体Ａに設けられた本体フレーム２によって着脱可能に支持されるガイドレールＢと、ベルト３上限部に設けられる誘出曲路６と、前記誘出曲路６の両側に備えられた２つの側壁と、を有する玉磨揚送機。」（以下、「刊行物１記載の発明」という。）　　
　
［１−３］刊行物２記載の発明について　
　本願出願前に頒布された刊行物である実公昭４３−２２１１５号公報（以下、刊行物２という。）には、以下の事項が記載されている。　
（ア）「本考案はパチンコ遊戯場若しくはパチンコ遊戯機に於いてパチンコ球を連続的に揚送しつつ玉磨きを行う装置に関するもので、その構成を図面に基づき詳細に説明すると、チヤンネル形の機枠１の両側え案内条板２，３を縦設すると共に機枠１の上部と下部に回転自在に軸架したローラー４，５間え外周面にパチンコ球Ｂの外径より小さい高さの凸条６を等間隔に並列横設した弾性ベルト７を調節ローラー８，９，１０に緊張度を調節する様に張架し、その機枠１両側え適宜間隔を保つた適数のボルト１１，１２を案内条板２，３と一体となる様に樹設すると共にボルト１１，１２に遊嵌されて支持する様に両側の案内条板２，３上面えパチンコ球Ｂの外径よりやや小さい厚みの条座板１３，１４を夫々縦設遊着し、さらに両側の条座板１３，１４上面え両側袖部１５，１６を有する断面コ状押圧条板１７を内部にゴム等の弾性帯板１８を張設して両側袖部１５，１６がボルト１１，１２に遊嵌支持され且弾性帯板１８が弾性ベルト７周面と対向する様に遊着すると共にボルト１１，１２に円座板１９，２０を介して遊嵌したコイル弾機２１，２２外周え抑止短管２３，２４を嵌装し、その抑止短管２３，２４及びコイル弾機２１，２２を圧止する様にボルト１１，１２え調節ナツト２５，２６を円座板２７，２８の介在により螺合して押圧条板１７をコイル弾機２１，２２の弾圧力で常時内方に加圧し、」（第１頁左欄１４行〜同欄４０行）　
（イ）「そして機枠１下端え下部のローラー５に沿う弾性ベルト７外周面と適宜な間隔を保つて対向する様に内部にゴム等の弾性帯板３２を張設し且円弧状に彎曲した断面コ状導入樋３３を連接すると共に機枠１上端え上部のローラー４に沿う弾性ベルト７外周面と適宜な間隔を保つて対向する様に内部にゴム等の弾性帯板３４を張設し且円弧状に彎曲した断面コ状導出樋３５の１端を連接して導出樋３５の他端に導出口３６を設けるものである。」（第１頁右欄８行〜同欄１６行）　
（ウ）「この弾性ベルト７の凸状６間に入つているパチンコ球Ｂは弾性ベルト７の上昇移動に伴い断面コ状押圧条板１７内部の弾性帯板１８に重接した織布帯条２９内周面え摺擦されて転動しつつ上昇するためにパチンコ球Ｂの外周面は平均に織布帯条２９面に摩擦され、研磨する。」（第１頁右欄３４行〜３９行）　
（エ）「この様にして上昇する弾性ベルト７の凸条６間に在つて断面コ状押圧条板１７内部の弾性帯板１８内面に重接した織布帯条２９面により摺擦され転動し研磨されつつ上昇するパチンコ球Ｂは上部のローラー４のところで弾性ベルト７周面と断面コ状導出樋３５内部の弾性帯板３４内面の対向間え挾送されて弾性ベルト７が上部のローラー４により回動するに従い導出口３６方向に送られ導出口３６から外部に流出するものである。」（第２頁左欄１２行〜同欄２０行）　
（オ）第１図には、断面コ状導出樋３５が、ローラー４の上部を覆うようにローラー４に対向していることが示されている。
　上記（ア）〜（オ）の記載及び図面によれば、刊行物２には以下の発明が記載されているものと認められる。　
「機枠１上端にローラー４の上部を覆うように対向して導出樋３５を設け、該導出樋３５を上部のローラー４に沿う弾性ベルト７外周面と適宜な間隔を保つて対向する様に円弧状に彎曲させ、上昇するパチンコ球Ｂが弾性ベルト７外周面と導出樋３５との対向間へ挾送されて、弾性ベルト７が上部のローラー４により回動するに従い、該導出樋３５の導出口３６方向に送られ導出口３６から外部に流出するようにし、また、機枠１に設けた複数のボルト１１，１２と調節ナツト２５，２６と、弾性ベルト７との間でパチンコ球Ｂを摺擦・転動する押圧条板１７の遊嵌手段とにより、該押圧条板１７が遊嵌支持されるようにしたパチンコ球連続揚送装置。」（以下、「刊行物２記載の発明」という。）　
　
［１−４］刊行物３記載の発明について　
　本願出願前に頒布された刊行物である特開平４−９１７２号公報（以下、刊行物３という。）には、以下の事項が記載されている。　
（ア）「まず、第１図ないし第３図を参照して玉揚送装置１０の全体構成について説明する。・・・また、前記軸支板１３の側面部には、垂直状に案内支柱１７が溶接されている。この案内支柱１７は、搬送ベルト１９の上下方向の回転移動を案内するもので、その上方部分が上下方向に摺動する摺動支柱１８となっている。」（第２頁右下欄６行〜第３頁右上欄４行）　
（イ）「前記案内支柱１７の内部には、第４Ｂ図及び第７図に示すように複数のローラ２１が上下方向に並んで支持され、そのローラ２１の一部が案内支柱１７の外側面から外に突出して搬送ベルト１９を支持していると共にその回転を補助している。また、摺動支柱１８の上端にも搬送ベルト１９が装着される１つの上端ローラ２２が上方に突出するように回転自在に固定されている。そして、その上端ローラ２２を被覆するように出口カバー２３が摺動支柱１８に固着されている。この出口カバー２３は、その手前側が開放状に形成されると共に、搬送ベルト１９が反転して下方向に向う側には、揚送された玉を排出する出口２３ａが形成されている。つまり、揚送ベルト１９で揚送された玉は、その上端部で出口カバー２３に案内されて円弧状に移動し、出口２３ａから前記した上部タンク８に導かれることになる。」（第４頁左上欄７行〜同頁右上欄３行）　
（ウ）第４Ａ図〜７図には、出口カバー２３における玉の反排出方向前方が下方に向かって曲面状に形成されていること、及び出口カバー２３が上端ローラ２２の上部を被覆していることが示されている。　
　上記（ア）〜（ウ）の記載及び図面によれば、刊行物３には以下の発明が記載されているものと認められる。　
「搬送ベルト（揚送ベルト）１９が装着された上端ローラ２２の上部を被覆する出口カバー２３を設け、該出口カバー２３の玉の反排出方向前方が下方に向かって曲面状に形成され、前記搬送ベルト（揚送ベルト）１９で揚送された玉を前記出口カバー２３に案内し移動させるようになした玉揚送装置。」（以下、「刊行物３記載の発明」という。）　
　
［１−５］刊行物４記載の発明について　
　本願出願前に頒布された刊行物である特開平４−９１７１号公報（以下、刊行物４という。）には、以下の事項が記載されている。　
（ア）「まず、第１図ないし第３図を参照して玉揚送装置１０の全体構成について説明する。・・・また、前記軸支板１３の側面部には、垂直状に案内支柱１７が溶接されている。この案内支柱１７は、搬送ベルト１９の上下方向の回転移動を案内するもので、その上方部分が上下方向に摺動する摺動支柱１８となっている。」（第２頁左下欄８行〜第３頁左上欄６行）　
（イ）「前記案内支柱１７の内部には、第４Ｂ図及び第７図に示すように複数のローラ２１が上下方向に並んで支持され、そのローラ２１の一部が案内支柱１７の外側面から外に突出して搬送ベルト１９を支持していると共にその回転を補助している。また、摺動支柱１８の上端にも搬送ベルト１９が装着される１つの上端ローラ２２が上方に突出するように回転自在に固定されている。そして、その上端ローラ２２を被覆するように出口カバー２３が摺動支柱１８に固着されている。この出口カバー２３は、その手前側が開放状に形成されると共に、搬送ベルト１９が反転して下方向に向う側には、揚送された玉を排出する出口２３ａが形成されている。つまり、揚送ベルト１９で揚送された玉は、その上端部で出口カバー２３に案内されて円弧状に移動し、出口２３ａから前記した上部タンク８に導かれることになる。」（第３頁右下欄９行〜第４頁左上欄５行）　
（ウ）第４Ａ図〜７図には、出口カバー２３における玉の反排出方向前方が下方に向かって曲面状に形成されていること、及び出口カバー２３が上端ローラ２２の上部を被覆していることが示されている。　
　上記（ア）〜（ウ）の記載及び図面によれば、刊行物４には以下の発明が記載されているものと認められる。　
「搬送ベルト（揚送ベルト）１９が装着された上端ローラ２２の上部を被覆する出口カバー２３を設け、該出口カバー２３の玉の反排出方向前方が下方に向かって曲面状に形成され、前記搬送ベルト（揚送ベルト）１９で揚送された玉を前記出口カバー２３に案内し移動させるようになした玉揚送装置。」（以下、「刊行物４記載の発明」という。）　
　
［１−６］刊行物５記載の発明について　
　本願出願前に頒布された刊行物である特開昭５６−６６２８１号公報（以下、刊行物５という。）には、以下の事項が記載されている。　
（ア）「第１図の揚送機Ａにおいて、１は動力で回転する主ローラー、２は移行ベルト、３は主ローラー外周と平行するよう円弧状に彎曲し、該始端部５から適宜距離間で二分し蝶番部４で連結し、自在に揺動するよう一体状とした彎曲案内壁で、同始端部５を予め略固定設置された流入樋６に自在着脱できるように遊嵌して連結し、該終端部７を直立状に装設された案内壁２０に連結するように架設するがこの場合、まず第２図において彎曲案内壁３を詳述すれば、８は終端部７に略Ｔ状に設けられた架設用の腕で、その腕中央に各々の孔を設け、該揚送機Ａ本体側に設けた受ボルト９に遊挿し、スプリングバネ１０を介して調整ナット１１で螺止し、彎曲案内壁の終端部７においてまず釣状に架設し自在に弾発するようになした弾発機構Ｂを形成する。」（第１頁右下欄１７行〜第２頁左上欄１２行）
（イ）「このようにＢ・Ｃ型弾発機構により自在に主ローラー方向に弾発運動する彎曲案内壁３・３´は、主ローラー１の移行ベルト２間に第３図に示すパチンコ球外径よりやや狭い間隔の球通路Ｄとなるよう装架し、この状態を彎曲案内壁３の定位とするもので、尚図中１７は案内壁内面に断面波状の球通路を予め形成し、該一連状に挿設した柔軟弾性板、又１８は流入樋６の位置調整を可能とした固定台であり、・・・流入樋６から自然滑転により球Ｑが彎曲案内壁３の始端部５位置まで転動すると、その直上を動力で回転する主ローラ１に張架されて上昇方向に回転する移行ベルト２に誘導され、強制的に狭められた球通路Ｄに進入し、以降通路を略拡張しながら更に進行するが、この場合常にＢ・Ｃ弾発機構の弾性と該柔軟弾性板１７の圧力により移行ベルト２間に球Ｑを連続的に挟圧し、そして挟送するものであるが、」（第２頁右上欄１行〜同頁左下欄７行）　
（ウ）「又彎曲案内壁３・３´を二分し該蝶番部４で連結することで、第一に流入樋６から自然力で滑転する球を無理なく狭められた球通路Ｄに導入することが出来、第二に整備等のため彎曲案内壁３を脱着する際、始端部５が自在に上下動するため流入樋６との略連結を容易とし、・・・発揮される。」（第２頁左下欄１５行〜同頁右下欄３行）　
（エ）第２図には、受ボルト９、調整ナット１１、孔が設けられた架設用の腕８の組み合わせが複数あることが示されている。　
　上記（ア）〜（エ）の記載及び図面によれば、刊行物５には以下の発明が記載されているものと認められる。　
「主ローラー１外周と平行するよう円弧状に彎曲させた彎曲案内壁３に設けた架設用の腕の孔と、揚送機Ａ本体に設けた遊挿用の受ボルト９と螺止用の調整ナット１１により、移行ベルト２との間で球Ｑを挟圧する彎曲案内壁３を揚送機Ａ本体に脱着可能に複数箇所で連結した揚送機Ａ。」（以下、「刊行物５記載の発明」という。）　
　
［１−７］刊行物６記載の発明について　
　本願出願前に頒布された刊行物である実願昭５１−５０２７１号（実開昭５２−１４１８７３号）のマイクロフィルム（以下、刊行物６という。）には、以下の事項が記載されている。　
（ア）「本考案はパチンコ球を揚送と同時に研磨する様構成された揚送機に張架した無端ベルトの回転中に於いて清浄するベルト掃除器に関するものである。」（第２頁２行〜同頁５行）　
（イ）「掃除器５本体はカバー５Ａと塵取り箱６及び内設されるブラシ部から成り、掃除器５本体側壁には後述するブラシ固定枠２の取付調整の横長孔１１と・・・を取付、・・・、上部を半円型とするカバー５Ａを嵌着する。」（第３頁１２行〜同頁２０行）　
（ウ）第１図には、カバー５Ａを上側に嵌着させる掃除器５本体の２つの側壁を幅方向両端に備えた部材が設けられ、その側壁上端の一部（図面右側）が、嵌着させるカバーの形状と略対応する形状とされていることが示されている。　
　上記（ア）〜（ウ）の記載及び図面によれば、刊行物６には以下の発明が記載されているものと認められる。　
「カバー５Ａを上側に嵌着可能な両側壁を幅方向両端に備えた部材を有し、該カバー５Ａと該両側壁上端の一部の形状を対応させた揚送機」（以下、「刊行物６記載の発明」という。）　
　
［１−８］刊行物７記載の発明について　
　本願出願前に頒布された刊行物である特開昭５９−６２０７１号公報（以下、刊行物７という。）には、以下の事項が記載されている。　
（ア）「その構成を図に従って順次説明すれば、第１図に示す揚送機Ａは起立本体Ｂの上下に横架した主ローラーＣ・Ｄに無端輪状の揚送ベルトＥを張架すると共に・・・、揚送機を中心に輪状回転する揚送ベルトの降下帰路側に、段状に装備される張出ローラー１と調整ローラー２に大別され、まず張出ローラー１から詳述すれば、第２・第３図に示すごとく張出ローラー１本体へ水平に貫設した中心軸の両側に¬状の腕部３・３を左右対称にネジ着し、該腕部３には後述する案内ネジ棒５に遊挿するネジ５´を形成する。そして案内ネジ棒５は揚送機Ａ下部で、該揚送ベルトＥの通路を挟さむ立脚本体Ｂの両側に、予め一定長さを有するネジ棒を約４５度（限定されず）の上向きに傾斜されて略植設する。・・・。７は進退ナットで腕部３を介して張出ローラー１の進退移動を行うもので、８は固定ナットを示し、進退ナット７と共に腕部３を案内ネジ棒５の定められた位置にネジ止し定着させる。」（第１頁右下欄１８行〜第２頁右上欄３行）　
（イ）「張出ローラー１の左右に設けられた案内ネジ棒５の進退ナット７を均等に回転させると、回転量に比例して腕部３は押し上げられ、従って第５・６図に示す矢印方向に揚送ベルトＥを裏面から昇り方向の４５度に張出ローラー１は移動しベルト張度は高められる。」（第２頁右下欄１行〜同欄６行）　
　上記（ア）、（イ）の記載及び図面によれば、刊行物７には以下の発明が記載されているものと認められる。　
「無端輪状の揚送ベルトＥに装備された張出ローラー１を進退移動させる進退ナット７を設けた揚送機Ａ。」（以下、「刊行物７記載の発明」という。）　
　
［１−９］刊行物８記載の発明について　
　本願出願前に頒布された刊行物である特開昭５４−２９２３２号公報（以下、刊行物８という。）には、以下の事項が記載されている。　
（ア）「本発明の主目的は新らしいパチンコ玉揚送用バケットコンベヤを提供し、パチンコ玉を磨きながら揚送できる構造を特徴とするものである。」（第２頁左上欄１３行〜１６行）　
（イ）「外フレーム１，１の上部及び下部にはスプロケットギヤ５及び６を軸承し、これに無端状のチェーン７を掛けてチェーンガイド４，４内を自由に移動させる。・・・３０はチェーンのテンション装置である。」（第２頁右上欄３行〜同頁右下欄６行）　
（ウ）第１図には、テンション装置３０がスプロケット６に取り付けられていることが示されている。　
　上記（ア）〜（ウ）の記載及び図面によれば、刊行物８には以下の発明が記載されているものと認められる。　
「無端状のチェーン７のテンション装置３０をスプロケットギヤ６に設けたパチンコ玉揚送用バケットコンベヤ。」（以下、「刊行物８記載の発明」という。）　
　
［２］本願補正発明と刊行物１記載の発明との対比　
　刊行物１には上記［１−２］の如くの発明が記載されている。　
　本願補正発明と刊行物１記載の発明とを対比すると、刊行物１記載の発明の「無端のベルト３」、「張架された無端のベルト３」、「球」、「進行上昇させる」、「玉磨路Ｆ」、「ガイドレールＢ」、「２つの側壁」、「玉磨揚送機」は、本願補正発明の「無端ベルト」、「巻掛けられた無端ベルト」、「パチンコ玉」、「揚送する」、「揚送路」、「扉」、「両脚部」、「パチンコ玉揚送装置」にそれぞれ相当する。
　そして、刊行物１記載の発明の「起立フレーム２の上下両端に回転自在に装架された一対の従輪及び動輪」のうち、上端に装架されたもの、下端に装架されたものは、本願補正発明の「上ローラ」、「下ローラ」にそれぞれ相当する。　
　また、刊行物１記載の発明の「回転自在に装架」は、本願補正発明の「軸支」又は「配置」に相当する。　
　次に、刊行物１記載の発明における「起立フレーム２」と、同じく「本体フレーム２」とは、いずれも「本体Ａ」に設けられたものであるから、「本体Ａに設けられたフレーム」として共通するが、これは、本願補正発明の「基柱」に相当するものである。　　
　さらに、刊行物１記載の発明において、ベルト３は起立フレーム２の上下両端に装架された従輪・動輪間に張架されたものであるので、「ベルト３上限部」に設けられる「誘出曲路６」は、「起立フレーム２の上端に装架された従輪又は動輪」の「上部」に設けられた部材であり、また第１図の記載から、該「上部」を覆うものでもあることが把握できる。よって、「誘出曲路６」は、「上ローラの上部を覆う部材」である点で本願補正発明の「排出シュート」と共通し、また、「誘出曲路６の両側に備えられた２つの側壁」は、「上ローラの上部を覆う部材の両側に備えられた」ものである点で本願補正発明の「排出シュートブラケット」の「両脚部」と共通するものである。
　そうすると、本願補正発明と刊行物１記載の発明とは、　
　「基柱の上端に軸支された上ローラと、当該基柱の下端に配置された下ローラと、前記上ローラ及び前記下ローラに巻掛けられた無端ベルトと、前記無端ベルトとの間でパチンコ玉を挟持揚送する揚送路形成のために前記無端ベルトと対向するように前記基柱によって着脱可能に支持される扉と、前記無端ベルトが巻掛けられた前記上ローラの上部を覆う部材と、該部材の両側に備えられた両脚部と、を有するパチンコ玉揚送装置。」の点で一致し、以下の点で相違する。　
　
＜相違点Ａ＞
　本願補正発明におけるパチンコ玉揚送装置が、「上ローラの上部を覆う排出シュートと、前記排出シュートを載置可能な両脚部を幅方向両端に備える排出シュートブラケットと、を設け、前記排出シュート及び前記両脚部の反排出方向前方が、前記無端ベルトの折り返し形状に略対応するように下方に向って曲面状に形成されることによって、前記揚送路内を挟持揚送されたパチンコ玉を前記排出シュートと前記無端ベルトとの間に挟持して排出する排出通路を形成可能に構成してあり、前記排出シュートを前記排出シュートブラケットに取り外し可能に複数箇所で係止する係止手段を設けてあり、前記係止手段が、前記排出シュートに設けられる係止部材と、前記排出シュートブラケットに設けられ前記係止部材を係止して前記排出シュートの取付状態を保持する保持手段と、を有する」ものであるのに対し、刊行物１記載の発明は、イ）上ローラの上部を覆う部材が両側に備えた両脚部にどのように支持されたもので該両脚部同士がいかなる構造関係にあるのか、が明確でなく、また、ロ）上ローラの上部を覆う部材と両脚部の形状、や、ハ）上ローラの上部を覆う部材の係止・固定構造、が明確でない点。　
＜相違点Ｂ＞　
　本願補正発明が、上ローラを上下動させるための「アジャスター」が設けられたものであるのに対し、刊行物１には「アジャスター」に関する記載がない点。　
　
　
［３］相違点についての検討　
［３−１］相違点Ａについての対比・判断　
　刊行物２には上記［１−３］の如くの発明が記載されている。　
　本願補正発明と刊行物２記載の発明とを対比すると、刊行物２記載の発明における「機枠１」、「上部のローラー４」、「導出樋３５」、「弾性ベルト７」、「パチンコ球Ｂ」、「上昇するパチンコ球Ｂが弾性ベルト７外周面と導出樋３５との対向間へ挾送されて、弾性ベルト７が上部のローラー４により回動するに従い、該導出樋３５の導出口３６方向に送られ導出口３６から外部に流出する」、「ボルト１１，１２と調整ナツト２５，２６」、「弾性ベルト７との間でパチンコ球Ｂを摺擦・転動する」、「遊嵌手段」、「パチンコ球連続揚送装置」、は、本願補正発明の「基柱」、「上ローラ」、「排出シュート」、「無端ベルト」、「パチンコ玉」、「揚送路内を挟持揚送されたパチンコ玉を前記排出シュートと前記無端ベルトとの間に挟持して排出する」、「係止手段」、「挟持する」、「保持手段」、「パチンコ玉揚送装置」にそれぞれ相当する。　
　そして、刊行物２記載の「導出樋３５を上部のローラー４に沿う弾性ベルト外周面と適宜な間隔を保つて対向する様に円弧状に彎曲させ」は、本願補正発明の「排出シュートを、無端ベルトの折り返し形状に略対応するように下方に向って曲面状に形成され」に相当し、またこの「円弧状に彎曲させ（下方に向かって曲面上に形成され）」る部位は、第１図から、「導出樋３５（排出シュート）」の、「導出口３６」とは反対側、すなわち「反排出方向前方」にあたる部位であることが把握できる。　
　また、刊行物２記載の発明における「弾性ベルト７外周面と導出樋３５との対向間」は、「弾性ベルト７が上部のローラー４により回動するに従い、（パチンコ球が）該導出樋３５の導出口３６方向に送られ」るものであるから、本願補正発明の「排出通路」にあたるものである。　
　そうすると、刊行物２には、「基柱の上端に上ローラの上部を覆うように対向して排出シュートを設け、該排出シュートの反排出方向前方が、無端ベルトの折り返し形状に略対応するように下方に向って曲面状に形成されることによって、揚送路内を挟持揚送されたパチンコ玉を前記排出シュートと前記無端ベルトとの間に挟持して排出する排出通路を形成し、また、基柱に設けた複数の保持手段と、無端ベルトとの間でパチンコ玉を挟持する押圧条板１７の係止部材とにより、該押圧条板１７が遊嵌支持されるようにしたパチンコ玉揚送装置。」が開示されていると認められる。　
　さらに、刊行物３、刊行物４には上記［１−４］、［１−５］の如くの発明が記載されている。　
　本願補正発明と刊行物３記載の発明とを対比すると、刊行物３記載の発明における「搬送ベルト（揚送ベルト）１９」、「上端ローラ２２」、「出口カバー２３」、「搬送ベルト（揚送ベルト）１９が装着された上端ローラ２２を被覆する出口カバー２３」、「玉」は、本願補正発明の「無端ベルト」、「上ローラ」、「排出シュート」、「無端ベルトが巻掛けられた上ローラの上端を覆う排出シュート」、「パチンコ玉」に相当する。　
　そして、揚送された玉が、搬送ベルト（揚送ベルト）を被覆する「出口カバー２３」に「案内され」るのであるから、該「出口カバー」が「搬送ベルト（揚送ベルト）１９」との間で玉を挟持するものであることは明らかである。　
　また、上記の事項は、刊行物４記載の発明においても同様である。　
　そうすると、刊行物３及び刊行物４には、「無端ベルトが巻掛けられた上ローラの上部を覆う排出シュートを設け、該排出シュートはパチンコ玉の反排出方向前方が下方に向かって曲面状に形成され、前記無端ベルトで揚送されたパチンコ玉を前記排出シュートと無端ベルトとの間に挟持し移動させるようになしたパチンコ玉揚送装置。」が開示されていると認められる。　
　してみると、刊行物２〜４に記載された発明の如く、上ローラの上部を覆う排出シュートのパチンコ玉の反排出方向前方を下方に向かって曲面状に形成すること、無端ベルトとの間でパチンコ玉を挟持して排出方向に移動させることは、パチンコ玉揚送装置の技術分野における周知技術である。　
　
　次に、刊行物５には上記［１−６］の如くの発明が記載されている。　
　本願補正発明と刊行物５記載の発明とを対比すると、刊行物５記載の発明における「架設用の腕の孔」は、本願補正発明の「係止部材」に相当し、刊行物５記載の発明における「遊挿用の受ボルト９と螺止用の調整ナット１１」は、本願補正発明の「保持手段」に相当する。また、刊行物５記載の発明における「円弧状に彎曲させた」、「移行ベルト２」、「球Ｑ」、「挟圧」、「揚送機Ａ」は、本願補正発明の「曲面状に形成した」、「無端ベルト」、「パチンコ玉」、「挟持」、「パチンコ玉揚送装置」に相当する。　
　そうすると、刊行物５には、「主ローラー外周と平行するよう曲面状に形成し、無端ベルトとの間でパチンコ玉を挟持する彎曲案内壁に設けた係止部材と、本体に設けた保持手段により、彎曲案内壁を本体に脱着可能に複数箇所で連結したパチンコ玉揚送装置。」が開示されていると認められる。　
　また、上記のように、刊行物２には、「基柱に設けた複数の保持手段と、無端ベルトとの間でパチンコ玉を挟持する押圧条板１７の係止部材とにより該押圧条板１７が遊嵌支持されるようにしたパチンコ玉揚送装置。」が開示されていると認められる。　
　平成１６年５月２８日付の手続補正書において「排出シュートを着脱可能にすることは、分野を限らず慣用されていること」は出願人も認めるところであるが、刊行物５、刊行物２記載の発明の如く、パチンコ玉揚送装置において、無端ベルトとの間でパチンコ玉を挟持する部材に設けた係止部材と該係止部材を係止する保持手段とを複数箇所に設けて取り外し可能とすることは本願出願前の周知の技術事項である。　
　
　続いて、刊行物６には上記［１−７］の如くの発明が記載されている。　
　本願補正発明と刊行物６記載の発明とを対比すると、刊行物６記載の発明における「カバー５Ａ」、「上側に嵌着」、「両側壁」、「部材」、「揚送機」は、本願補正発明の「覆う部材」、「載置」、「両脚部」、「ブラケット」、「パチンコ玉揚送装置」にそれぞれ相当し、そうすると、刊行物６には「覆う部材を上側に載置させる両脚部を幅方向両端に備えたブラケットを有し、カバーと両脚部上端の一部の形状を対応させたパチンコ玉揚送装置。」が開示されていると認められる。　
　
　ここで相違点Ａについて判断するに、
　イ）刊行物１記載の発明における「上ローラの上部を覆う部材」の、両側に備えられた両脚部による支持態様、及び両側に備えた両脚部同士の構造関係として、刊行物６記載の発明の如くの、「覆う部材」の、ブラケットの幅方向両端に備えた両脚部への載置構造を採用し、ロ）刊行物１記載の発明における「上ローラの上部を覆う部材」と「両脚部」それぞれの形状として、刊行物２〜４に記載された発明の如くの、「上ローラの上部を覆う排出シュート」をパチンコ玉の反排出方向前方を下方に向かって曲面状に形成して無端ベルトとの間でパチンコ玉を挟持し排出方向に移動させる周知技術、及び刊行物６記載の発明の如くの、「覆う部材」と「両脚部」上端の一部の形状の対応関係を採用し、ハ）刊行物１記載の発明における「上ローラの上部を覆う部材」の係止・固定構造として、刊行物５及び刊行物２に記載された発明の如くの、無端ベルトとの間でパチンコ玉を挟持する部材に設けた係止部材を係止する保持手段を複数箇所に設けて取り外し可能とする周知技術を採用することは、当業者であれば容易に推考し得る事項である。そして、本願補正発明の奏する効果についても、刊行物１〜６記載の発明が奏する効果の総和を超えるものではない。　
　
［３−２］相違点Ｂについての対比・判断　
　刊行物７には上記［１−８］の如くの発明が記載されている。　
　本願補正発明と刊行物７記載の発明とを対比すると、刊行物７記載の発明における「無端輪状の揚送ベルトＥ」、「進退ナット７」、「揚送機Ａ」は、本願補正発明の「無端ベルト」、「アジャスター」、「パチンコ玉揚送装置」にそれぞれ相当する。そうすると、刊行物７には、「無端ベルトに装備されたローラーを進退移動させるアジャスターを設けたパチンコ玉揚送装置。」が開示されていると認められる。　
　また、刊行物８には上記［１−９］の如くの発明が記載されている。　
　本願補正発明と刊行物８記載の発明とを対比すると、刊行物８記載の発明における「テンション装置３０」、「パチンコ玉揚送用バケットコンベヤ」は、本願補正発明の「アジャスター」、「パチンコ球揚送装置」にそれぞれ相当する。そうすると、刊行物８には、「無端状のチェーンのアジャスターをスプロケットギヤに設けたパチンコ玉揚送装置。」が開示されていると認められる。　
　パチンコ玉揚送装置等、無端ベルトや無端状のチェーンを備えた装置において、摩耗等による経時的な張力劣化は一般的な技術課題であり、この課題を解決するために、上記の如く、刊行物７、刊行物８に開示される如くの「アジャスター」を利用して張力を調整することは周知技術であるから、この周知技術を刊行物１記載の発明において採用することは、当業者であれば容易に想到し得るものである。そして、この「アジャスター」による調整をどのローラに対して施すか、またその調整方向をいかにするかについては、他部材との関係でローラの動きが制約を受けない範囲で当業者が適宜決定する程度のものに過ぎず、本願補正発明で「上ローラ」を「上下動する方向」とした点に格別の技術的困難性はない。　
　
　
［４］むすび　
　したがって、本願補正発明は、刊行物１乃至刊行物８記載の発明に基づいて当業者が容易に発明をすることができたものであるから、特許法第２９条第２項の規定により、その特許出願の際に独立して特許を受けることができないものである。　
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
３．本願発明　
　平成１６年５月２８日付の手続補正が上記のとおり却下されているので、本願の請求項１に係る発明（以下、「本願発明」という。）は、平成１６年１月１６日付の手続補正により補正された明細書及び図面の記載からみて、その特許請求の範囲の請求項１に記載された事項により特定される以下のとおりのものである。　
「上に配置された上ローラと、下に配置された下ローラと、前記上ローラ及び前記下ローラに巻掛けられた無端ベルトと、前記上ローラを軸支し収納する収納体と、前記収納体の上部に取付けられ前記無端ベルトの外周面の前記上ローラに巻掛けられた部分との間で遊技球を挟持して排出する排出通路を形成する排出シュートと、前記収納体に着脱可能に支持され、前記無端ベルトに対向して前記無端ベルトとの間で遊技球を前記排出通路へ挟持揚送する通路を形成する扉と、前記排出シュートを前記収納体に取り外し可能に複数箇所で係止する係止手段とを有することを特徴とする遊技球揚送装置。」　　　
［１］引用例に記載の発明　
　原査定の拒絶の理由に引用された、本願の出願前に日本国内において頒布された刊行物である特開昭５６−５７４６６号公報（以下、「引用例１」という。）は、前記２．〔理由２〕［１−２］において記載した刊行物１と同一文献であって、この刊行物１の記載事項は前記したとおりのものであり、その記載及び図面によれば、引用例１には以下の発明が記載されているものと認められる。
　「本体Ａに設けられた起立フレーム２の上下両端に回転自在に装架する一対の従輪及び動輪と、前記従輪と前記動輪間に張架された無端のベルト３と、ベルト３上限部に設けられる誘出曲路６と、本体Ａに設けられた本体フレーム２に着脱可能に支持され、前記ベルト３に対向して前記ベルト３との間で球を挟持しつつ進行上昇させる玉磨路Ｆを形成するガイドレールＢと、を有する玉磨揚送機。」（以下、「引用例１記載の発明」という。）
　
［２］本願発明と引用例１記載の発明との対比　
　本願発明と引用例１記載の発明とを対比すると、引用例１記載の発明の「無端のベルト３」、「張架された無端のベルト３」、「球」、「進行上昇させる」、「球を挟持しつつ進行上昇させる玉磨路Ｆ」、「ガイドレールＢ」、「玉磨揚送機」は、本願発明の「無端ベルト」、「巻掛けられた無端ベルト」、「遊技球」、「揚送する」、「遊技球を挟持揚送する通路」、「扉」、「遊技球揚送装置」にそれぞれ相当する。
　そして、引用例１記載の発明の「起立フレーム２の上下両端に回転自在に装架された一対の従輪及び動輪」のうち、上端に装架されたもの、下端に装架されたものは、本願発明の「上に配置された上ローラ」、「下に配置された下ローラ」にそれぞれ相当する。　
　また、引用例１記載の発明の「回転自在に装架する」は、本願発明の「軸支し収納する」に相当する。　
　次に、引用例１記載の発明における「起立フレーム２」と、同じく「本体フレーム２」とは、いずれも「本体Ａ」に設けられたもので、「本体Ａに設けられたフレーム」として共通するが、これは、本願発明の「収納体」に相当するものである。　　
　さらに、引用例１記載の発明において、ベルト３は起立フレーム２の上下両端に装架する従輪・動輪間に張架されたものであるので、「ベルト３上限部に設けられる誘出曲路６」は、起立フレーム２の上端に装架する従輪又は動輪の上部に設けられた、通路（曲路）を形成する部材であり、すなわち、「起立フレーム２の上部に取付けられた通路を形成する部材」であることが把握できる。よって、「誘出曲路６」は、「収納体の上部に取付けられた通路を形成する部材」である点で本願発明の「排出シュート」と共通する。
　そうすると、本願発明と引用例１記載の発明とは、　
　「上に配置された上ローラと、下に配置された下ローラと、前記上ローラ及び前記下ローラに巻掛けられた無端ベルトと、前記上ローラを軸支し収納する収納体と、収納体の上部に取付けられた通路を形成する部材と、前記収納体に着脱可能に支持され、前記無端ベルトに対向して前記無端ベルトとの間で遊技球を挟持揚送する通路を形成する扉と、を有する遊技球揚送装置。」の点で一致し、　
　本願発明における遊技球揚送装置が、「収納体の上部に取付けられ無端ベルトの外周面の前記上ローラに巻掛けられた部分との間で遊技球を挟持して排出する排出通路を形成する排出シュート」と、「排出シュートを収納体に取り外し可能に複数箇所で係止する係止手段」とを有するものであるのに対し、引用例１記載の発明は、「収納体の上部に取付けられた通路を形成する部材」と「無端ベルト」との協働関係や、「収納体の上部に取付けられた通路を形成する部材」の係止・固定構造、が明確でない点で相違する。　
　
［３］相違点についての検討
　上ローラ及び下ローラに巻掛けられた無端ベルトと、対向する扉との間で遊技球を挟持揚送する遊技球揚送装置の技術分野において、上ローラを軸支する収納体の上部に取付けられた部材と、無端ベルトの外周面の上ローラに巻掛けられた部分との間に形成した通路に、遊技球を挟持して排出方向に送ること、及び無端ベルトとの間で遊技球を挟持する通路を形成した部材を本
体に取り外し可能に複数箇所で係止する係止手段を設けることは、それぞれ周知技術（前者については、例えば、実公昭４３−２２１１５号公報（第１頁右欄８行〜１６行、第２頁左欄１２行〜同欄２０行）、特開平４−９１７２号公報（第４頁左上欄７行〜同頁右上欄３行）、特開平４−９１７１号公報（第３頁右下欄９行〜第４頁左上欄５行）、後者については、例えば、特開昭５６−６６２８１号公報（第１頁右下欄１７行〜第２頁左上欄１２行、第２頁右上欄１行〜同頁左下欄７行、第２頁左下欄１５行〜同頁右下欄３行、第２図）、実公昭４３−２２１１５号公報（第１頁左欄１４行〜同欄４０行））である。
　引用例１記載の発明に、同様の技術分野における上記周知技術を適用して前記相違点に係る本願発明のように構成することは、当業者であれば容易に想到し得る事項であり、また、本願発明の奏する効果についても、引用例１及び上記周知技術が奏する効果の総和を超えるものではない。　
　
［４］むすび　
　以上のとおり、本願発明は、引用例１記載の発明及び前記周知技術に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　よって、結論のとおり審決する。